(57)【特許請求の範囲】
【請求項１】
バーナと、
前記バーナに燃料を供給する燃料供給路と、
前記燃料供給路に設けられた電磁弁と、
前記バーナの点火状態を検知する検知回路と、
前記電磁弁の開閉を指示するマイコンと、
前記電磁弁に電力を供給する経路上に設けられており、前記マイコンからの指示に従って、前記電磁弁への電力供給を許容する状態と禁止する状態の間で切り換わる第１トランジスタと、
前記マイコンとは別個に前記電磁弁の開閉を指示するタイマ回路と、
電源側の前記第１トランジスタと接地電位側の前記電磁弁との間に設けられており、前記タイマ回路からの指示に従って、前記電磁弁への電力供給を許容する状態と禁止する状態の間で切り換わる第２トランジスタを備え、
前記タイマ回路は、前記第１トランジスタが前記電磁弁への電力供給を許容する状態であってかつ前記検知回路が非点火を検知する状態が所定時間継続すると、前記電磁弁を閉めるように前記第２トランジスタに指示することを特徴とする燃焼装置。
【請求項２】
バーナと、前記バーナに燃料を供給する燃料供給路と、前記燃料供給路に設けられた電磁弁と、前記バーナの点火状態を検知する検知回路と、前記電磁弁の開閉を指示するマイコンを備える燃焼装置に用いられる安全回路であって、
前記電磁弁に電力を供給する経路上に設けられており、前記マイコンからの指示に従って、前記電磁弁への電力供給を許容する状態と禁止する状態の間で切り換わる第１トランジスタと、
前記マイコンとは別個に前記電磁弁の開閉を指示するタイマ回路と、
電源側の前記第１トランジスタと接地電位側の前記電磁弁との間に設けられており、前記タイマ回路からの指示に従って、前記電磁弁への電力供給を許容する状態と禁止する状態の間で切り換わる第２トランジスタを備え、
前記タイマ回路は、前記第１トランジスタが前記電磁弁への電力供給を許容する状態であってかつ前記検知回路が非点火を検知する状態が所定時間継続すると、前記電磁弁を閉めるように前記第２トランジスタに指示することを特徴とする安全回路。
【発明の詳細な説明】
【技術分野】
【０００１】
本発明は、燃焼装置と、燃焼装置に用いられる安全回路に関する。
【背景技術】
【０００２】
例えば、特許文献１は、バーナに燃料を供給する燃料供給路に電磁弁を備える燃焼装置を開示する。特許文献１の燃焼装置では、電磁弁の開閉をマイコンによって制御する。この種の燃焼装置として、例えばマイコンの異常時にマイコンによる制御とは別の方法で電磁弁を閉じる、すなわちインターロックをすることができる制御ユニットを備えるものが知られている。
【０００３】
上記の制御ユニットとしては、例えば、図９に示す制御ユニット４１０が知られている。図９の制御ユニット４１０は、マイコン４１２と、トランジスタ４１４、４１６と、タイマ回路４１７と、炎検知回路４１８と、電磁弁４２０を備える。また、タイマ回路４１７は、ヒステリシス回路４２２を備える。マイコン４１２は、ハイレベル信号（ハイレベル電位）又はローレベル信号（ローレベル電位）を出力することにより、電磁弁４２０の開閉を指示する。本明細書では、「ハイレベル信号」、「ローレベル信号」を単に「ハイ信号」、「ロー信号」と呼び換える場合がある。タイマ回路４１７は、供給される信号に従って、マイコン４１２とは別個に電磁弁４２０の開閉を指示するための信号（ハイ信号又はロー信号）を出力する。トランジスタ４１４、４１６の双方が電磁弁４２０への電力供給を許容する状態の場合に電磁弁４２０に電力が供給される。この状態のときに、ユーザが電磁弁４２０を開くための開弁操作を行うと電磁弁４２０は開かれ、ユーザが開弁操作を終了して手を離した後も、電磁弁４２０に供給される電力によって電磁弁４２０は開弁した状態に保持される。タイマ回路４１７は、トランジスタ４１４がマイコン４１２の開弁指示に対応する信号を出力し、かつ、炎検知回路４１８が非点火を検知する状態が所定時間継続すると、出力をロー信号からハイ信号に切り換えて、電磁弁４２０を閉じるようにトランジスタ４１６に指示する（図９の表参照）。一般に、トランジスタ４１４がマイコン４１２の開弁指示に対応する信号を出力し、かつ、炎検知回路４１８が非点火を検知する状態が所定時間継続する場合は、制御ユニット４１０に何らかの故障（例えば、マイコン４１２が開指示を行う状態で故障する等）が発生している。タイマ回路４１７の出力がロー信号からハイ信号に切り換わることにより、トランジスタ４１６が電磁弁４２０への電力供給を禁止する状態に切り換わり、電磁弁４２０への電力の供給が停止して、電磁弁４２０は閉弁する。なお、ヒステリシス回路４２２は、タイマ回路４１７への入力が切り換わった場合でも、タイマ回路４１７がハイ信号を出力する状態を一定時間保持する。
【先行技術文献】
【特許文献】
【０００４】
【特許文献１】特開平４−１０３９１２号公報
【発明の概要】
【発明が解決しようとする課題】
【０００５】
図１０は、図９の制御ユニット４１０中の（ａ）〜（ｅ）の各部における信号の状態を示すタイムチャートである。図１０は、炎検出回路４１８が非点火を示すハイ信号を出力している（図１０の（ｃ）参照）にも関わらず、マイコン４１２が電磁弁４２０の開指示に対応するロー信号の出力を継続する（図１０の（ａ）参照）場合において、図９の制御ユニット４１０中の（ａ）〜（ｅ）の各部における信号の状態を示すタイムチャートである。図１０のＡ時点において、ユーザが電磁弁４２０を開くための開弁操作を行うと、マイコン４１２は電磁弁４２０を開くためにロー信号を出力する（図１０の（ａ）参照）。トランジスタ４１４はハイ信号を出力する（図１０の（ｂ）参照）。炎検出回路４１８は非点火を検出するため、ハイ信号を出力する（図１０の（ｃ）参照）。Ａ時点では、タイマ回路４１７は、電磁弁４２０を開くためにロー信号を出力する（図１０の（ｄ）参照）。トランジスタ４１６はハイ信号を出力する（図１０の（ｅ）参照）。その結果、トランジスタ４１４、４１６がともにハイ信号を出力することとなり、電磁弁４２０に電力が供給され、電磁弁４２０は開弁した状態で保持される。
【０００６】
トランジスタ４１４、４１６がともにハイ信号を出力し、かつ、炎検出回路４１８がハイ信号を出力する状態がＢ時点まで（図１０のタイマ時間）継続すると、Ｂ時点で、タイマ回路４１７は、電磁弁４２０を閉じるために出力信号をロー信号からハイ信号に切り換える（図１０の（ｄ）参照）。Ｂ時点では、タイマ回路４１７から出力されるハイ信号に従って、トランジスタ４１６はロー信号を出力する（図１０の（ｅ）参照）。トランジスタ４１６がロー信号を出力するため、電力供給経路の下段側に設けられているトランジスタ４１４もロー信号を出力する（図１０の（ｂ）参照）。トランジスタ４１４、４１６がともにロー信号を出力するため、電磁弁４２０に電力が供給されなくなり、電磁弁４２０が閉弁する。
【０００７】
タイマ回路４１７がハイ信号を出力する場合、ヒステリシス回路４２２によって、ハイ信号の出力が所定時間確保される。しかしながら、ヒステリシス回路４２２によって確保された時間のハイ信号の出力が終了すると、タイマ回路４１７は、再びロー信号を出力することになる。即ち、上記の通り、タイマ回路４１７がハイ信号を出力すると、トランジスタ４１６、４１４がロー信号を出力する。従って、タイマ回路４１７には、ロー信号が供給される。この場合、図９の表に示すように、タイマ回路４１７はロー信号を出力することになる。その結果、トランジスタ４１６は再びハイ信号を出力する（図１０（ｅ）参照）。トランジスタ４１６からハイ信号が出力されると、トランジスタ４１４もハイ信号を出力する。結局、トランジスタ４１４、４１６はともにハイ信号の出力を再開し、電磁弁４２０には再び電力が供給されるようになる。その結果、この状態でユーザが開弁操作を行えば（例えば、図１０の矢印Ｃ参照）、電磁弁４２０はタイマ回路４１７がロー信号を出力している間、開弁した状態で保持されてしまう。即ち、図９の制御ユニット４１０によると、炎検出回路４１８とトランジスタ４１４がともにハイ信号を出力する場合において、タイマ回路４１７の指示に従って一旦電磁弁４２０が閉じられたとしても、その後にユーザが開弁操作を行えば、タイマ回路４１７がロー信号を出力している間、電磁弁４２０が開弁した状態で保持されてしまう。タイマ回路４１７によるロー信号の出力が終了するまでの間、電磁弁４２０から燃料が漏出する事態が生じ得る。
【０００８】
本明細書では、タイマ回路の指示に従って一旦電磁弁が閉じられた後に、ユーザの開弁操作によって電磁弁が再び開弁されても、その開弁状態が保持されることのない燃焼装置を実現するための技術を開示する。
【課題を解決するための手段】
【０００９】
本明細書は、バーナと、燃料供給路と、電磁弁と、検知回路と、マイコンと、第１トランジスタと、タイマ回路と、第２トランジスタを備える燃焼装置を開示する。燃料供給路は、バーナに燃料を供給する。電磁弁は、燃料供給路に設けられる。検知回路は、バーナの点火状態を検知する。マイコンは、電磁弁の開閉を指示する。第１トランジスタは、電磁弁に電力を供給する経路上に設けられており、マイコンからの指示に従って、電磁弁への電力供給を許容する状態と禁止する状態の間で切り換わる。タイマ回路は、マイコンとは別個に電磁弁の開閉を指示する。第２トランジスタは、電源側の第１トランジスタと接地電位側の電磁弁との間に設けられており、タイマ回路からの指示に従って、電磁弁への電力供給を許容する状態と禁止する状態の間で切り換わる。また、タイマ回路は、第１トランジスタが電磁弁への電力供給を許容する状態であってかつ検知回路が非点火を検知する状態が所定時間継続すると、電磁弁を閉めるように第２トランジスタに指示する。
【００１０】
上記の燃焼装置では、第２トランジスタは、電源側の第１トランジスタと接地電位側の電磁弁との間に設けられている。そのため、タイマ回路の指示に従って、第２トランジスタが電磁弁への電力供給を禁止する状態に切り換わった後は、第１トランジスタが電磁弁への電力供給を許容する状態であっても、第２トランジスタが再び電磁弁への電力供給を許容する状態に復帰することがない。従って、一旦電磁弁が閉じられれば、仮にユーザが開弁操作を行って電磁弁が開弁されたとしても、電磁弁には電力が供給されないので、電磁弁が開弁状態で保持されることがない。
【００１３】
なお、上記の燃焼装置のために用いられる安全回路であって、上記と同様の第１トランジスタと、タイマ回路と、第２トランジスタを備える安全回路も新規で有用である。
【図面の簡単な説明】
【００１４】
【図１】第１実施例の燃焼装置の制御ユニットを示す回路図。
【図２】図１の制御ユニットの動作説明のためのタイムチャート。
【図３】第２実施例の燃焼装置の制御ユニットを示す回路図。
【図４】図３の制御ユニットの動作説明のためのタイムチャート。
【図５】第１参考例の燃焼装置の制御ユニットを示す回路図。
【図６】図５の制御ユニットの動作説明のためのタイムチャート。
【図７】第２参考例の燃焼装置の制御ユニットを示す回路図。
【図８】図７の制御ユニットの動作説明のためのタイムチャート。
【図９】従来の燃焼装置の制御ユニットを示す回路図。
【図１０】図９の制御ユニットの動作説明のためのタイムチャート。
【発明を実施するための形態】
【００１５】
以下に説明する実施例の主要な特徴を列記する。
（形態１）  第２トランジスタは、電源側の第１トランジスタと接地電位側の電磁弁の間に設けられる。
（形態２）  第２トランジスタは、電源側の電磁弁と接地電位側の第１トランジスタの間に設けられる。
（形態３）  電磁弁は、電源側の第２トランジスタと接地電位側の第１トランジスタの間に配置される。
（形態４）  電磁弁は、電源側の第１トランジスタと接地電位側の第２トランジスタの間に配置されている。
【実施例】
【００１６】
（第１実施例）
図面を参照して第１実施例を説明する。図１は本実施例に係る燃焼装置の制御ユニット１０を示す回路図である。図１に示す制御ユニット１０は、マイコン１２、電源１４、トランジスタ１６〜２２、ＡＮＤ回路２４、２６、ＯＲ回路２８、タイマ回路３０、炎検出回路３２、３４、電磁弁３６、３８、を備える。２個の電磁弁３６、３８は、それぞれ、２個のバーナ（図示省略）の燃料供給路（図示省略）に備えられており、ユーザの開弁操作又は閉弁操作によって開閉される。電源１４から電力が供給されている状態では、電磁弁３６、３８は、ユーザの開弁操作によって開弁されると、その開弁状態を保持する。電源１４から電力が供給されない状態では、電磁弁３６、３８は閉弁する。
【００１７】
上記の各構成要素のうち、電磁弁３６への電力供給の制御に用いられる構成要素は、マイコン１２、電源１４、トランジスタ１６、１８、ＡＮＤ回路２４、ＯＲ回路２８、タイマ回路３０、炎検出回路３２、電磁弁３６である。一方、電磁弁３８への電力供給の制御に用いられる構成要素は、マイコン１２、電源１４、トランジスタ２０、２２、ＡＮＤ回路２６、ＯＲ回路２８、タイマ回路３０、炎検出回路３４、電磁弁３８である。電磁弁３６のための構成要素の動作と、電磁弁３８のための構成要素の動作とはほぼ同様である。
【００１８】
マイコン１２は、ユーザによって実行される開弁操作又は閉弁操作に従って、電磁弁３６、３８の開閉を制御する。マイコン１２は、ハイレベル信号（ハイレベル電位）又はローレベル信号（ローレベル電位）を出力することにより、電磁弁３６（３８）の開閉を指示する。本実施例では、マイコン１２は、電磁弁３６（３８）を閉じる場合にハイ信号を出力し、電磁弁３６（３８）を開く場合にロー信号を出力する。マイコン１２が出力した信号は、トランジスタ１６、２０に供給される。電源１４は、トランジスタ１６〜２２と、電磁弁３６、３８に電力を供給するための電源である。
【００１９】
トランジスタ１６、１８は、電源１４から電磁弁３６に電力を供給するための電力供給経路上に設けられている。トランジスタ１６、１８、電磁弁３６は、電源１４側から接地電位側に向かって、トランジスタ１６、トランジスタ１８、電磁弁３６の順で配置されている。同様に、トランジスタ２０、２２は、電源１４から電磁弁３８に電力を供給するための電力供給経路上に設けられている。トランジスタ２０、２２、電磁弁３８は、電源１４側から接地電位側に向かって、トランジスタ２０、トランジスタ２２、電磁弁３８の順で配置されている。トランジスタ１６〜２２は、以下に説明する通り、いずれも電磁弁３６、３８への電力供給を許容する状態と禁止する状態の間で切り換わる。図１の例では、トランジスタ１６〜２２はいずれもＮＯＴ回路として構成される。
【００２０】
トランジスタ１６は、マイコン１２から出力されるハイ信号又はロー信号に従って、オン状態とオフ状態の間で切り換わる。具体的には、例えば、トランジスタ１６は、マイコン１２からハイ信号が入力されると、オフ状態となる。その場合、トランジスタ１６は、ロー信号を出力し、電磁弁３６への電力供給を禁止する。その場合、電源１４から電磁弁３６に電力が供給されないため、電磁弁３６は閉弁状態となる。一方、トランジスタ１６は、マイコン１２からロー信号が供給されると、オン状態となる。その場合、トランジスタ１６は、ハイ信号を出力し、電磁弁３６への電力供給を許容する。トランジスタ１６が出力した信号はＡＮＤ回路２４に供給される。なお、トランジスタ２０も、トランジスタ１６と同様に動作する。トランジスタ２０が出力した信号はＡＮＤ回路２６に供給される。
【００２１】
炎検知回路３２は、バーナの点火を検知する回路である。炎検知回路３２には、炎検知用の熱電対３２ａが接続されている。炎検知回路３２がバーナの点火を検知した場合、炎検知回路３２はロー信号を出力する。一方、炎検知回路３２がバーナの非点火を検知した場合、炎検知回路３２はハイ信号を出力する。炎検知回路３２が出力した信号は、ＡＮＤ回路２４に供給される。なお、炎検知回路３４も、炎検知回路３２と同様に動作する。炎検知回路３４にも熱電対３４ａが接続されている。炎検知回路３４が出力した信号は、ＡＮＤ回路２６に供給される。
【００２２】
ＡＮＤ回路２４には、トランジスタ１６から出力された信号と、炎検知回路３２から出力された信号が並列に入力されている。トランジスタ１６から出力された信号と、炎検知回路３２から出力された信号の両方がハイ信号である場合、ＡＮＤ回路２４はハイ信号を出力する。トランジスタ１６から出力された信号と、炎検知回路３２から出力された信号のうち少なくとも一方がロー信号である場合、ＡＮＤ回路２４はロー信号を出力する。なお、ＡＮＤ回路２６も、ＡＮＤ回路２４と同様に動作する。即ち、ＡＮＤ回路２６は、トランジスタ２０から出力された信号と、炎検知回路３４から出力された信号とに従って、ハイ信号又はロー信号を出力する。ＡＮＤ回路２４、２６が出力した信号は、いずれもＯＲ回路２８に供給される。
【００２３】
ＯＲ回路２８には、ＡＮＤ回路２４から出力された信号とＡＮＤ回路２６から出力された信号が並列に入力されている。ＡＮＤ回路２４、２６から出力された信号のうち少なくとも一方がハイ信号である場合、ＯＲ回路２８はハイ信号を出力する。一方、ＡＮＤ回路２４、２６から出力された信号が両方ともロー信号である場合、ＯＲ回路２８はロー信号を出力する。ＯＲ回路２８が出力した信号は、タイマ回路３０に供給される。
【００２４】
タイマ回路３０は、ＯＲ回路２８から出力される信号に従って、マイコン１２とは別個に電磁弁３６、３８の開閉を指示するための信号（ハイ信号又はロー信号）を出力する。具体的には、図１の表に示すように、タイマ回路３０は、トランジスタ１６と炎検出回路３２の出力がともにハイ信号となる場合（ＯＲ回路２８がハイ信号を出力する場合）に、まずロー信号を出力して、計時を開始する。ＯＲ回路２８から出力される信号がハイ信号となる場合の例としては、マイコン１２が開指示を行い、かつ、炎検出回路３２が非点火を検知する場合がある。ＯＲ回路２８から出力される信号がハイ信号となる状態が維持されたまま所定時間が経過する場合、タイマ回路３０は、出力する信号をロー信号からハイ信号に切り換える。一般に、ＯＲ回路２８から出力される信号がハイ信号となる状態が所定時間継続する場合は、制御ユニット１０に何らかの故障（例えば、マイコン１２が開指示を行う状態で故障する等）が発生している。一方、タイマ回路３０は、ＯＲ回路２８から出力される信号がロー信号である場合は、ロー信号を出力する。この場合、タイマ回路３０は計時を行わず、ロー信号を継続して出力する。タイマ回路３０が出力した信号は、トランジスタ１８、２２に入力される。
【００２５】
トランジスタ１８は、タイマ回路３０から出力される信号に従って、オン状態とオフ状態の間で切り換わる。具体的には、タイマ回路３０からハイ信号が供給されると、トランジスタ１８はオフ状態となる。その場合、トランジスタ１８は、電磁弁３６への電力供給を禁止する。その場合、仮に、トランジスタ１６が電磁弁３６への電力供給を許容する状態であっても、電磁弁３６には電力が供給されず、電磁弁３６は閉弁状態となる。一方、タイマ回路３０からロー信号が供給されると、トランジスタ１８はオン状態となる。その場合、トランジスタ１８は、電磁弁３６への電力供給を許容する。トランジスタ１６、１８がともに電磁弁３６への電力供給を許容する状態である場合、電源１４から電磁弁３６に電力が供給され、電磁弁３６は開弁状態を保持することができる。
【００２６】
図２は、図１の制御ユニット１０中の（ａ）〜（ｅ）の各部における信号の状態を示すタイムチャートである。図２は、炎検出回路３２が非点火を示すハイ信号を出力している（図２の（ｃ）参照）にも関わらず、マイコン１２が電磁弁３６の開指示に対応するロー信号の出力を継続する（図２の（ａ）参照）場合において、図１の制御ユニット中の（ａ）〜（ｅ）の各部における信号の状態を示すタイムチャートである。
【００２７】
図２のＡ時点において、ユーザが電磁弁３６を開くための開弁操作を行うと、マイコン１２は、電磁弁３６を開くためのロー信号を出力する（図２の（ａ）参照）。マイコン１２から出力されたロー信号に従って、トランジスタ１６はオン状態となり、電磁弁３６への電力供給を許容する状態となる。このとき、トランジスタ１６は、ハイ信号を出力する（図２の（ｂ）参照）。図２の例では、炎検出回路３２が非点火を検出するため、炎検出回路３２はハイ信号を出力する（図２の（ｃ）参照）。トランジスタ１６が出力したハイ信号と、炎検出回路３２が出力したハイ信号は、ＡＮＤ回路２４に供給される。この場合、ＡＮＤ回路２４はハイ信号を出力する。ＡＮＤ回路２４から出力されたハイ信号は、ＯＲ回路２８に供給される。この場合、ＡＮＤ回路２６から供給される信号の種類に関わらず、ＯＲ回路２８はハイ信号を出力する。ＯＲ回路２８から出力されたハイ信号は、タイマ回路３０に供給される。タイマ回路３０は、ＯＲ回路２８から供給される信号がハイ信号となると、まずロー信号を出力して（図１の表、図２の（ｄ）参照）、計時を開始する。タイマ回路３０から供給されるロー信号に従って、トランジスタ１８はオン状態となり、電磁弁３６への電力供給を許容する状態となる。トランジスタ１８は、ハイ信号を出力する（図２の（ｅ）参照）。この結果、電磁弁３６に電力が供給され、電磁弁３６は開弁した状態を保持する。
【００２８】
ＯＲ回路２８がハイ信号を出力する状態が維持されたままＡ時点からＢ時点までの所定時間（図２の「タイマ時間」）が経過すると、タイマ回路３０は出力信号をロー信号からハイ信号に切り換える（図２の（ｄ）参照）。Ｂ時点において、タイマ回路３０から供給されるハイ信号に従って、トランジスタ１８はオフ状態となり、電磁弁３６への電力供給を禁止する。このとき、トランジスタ１８はロー信号を出力する（図２の（ｅ）参照）。この結果、電磁弁３６に電力が供給されなくなり、電磁弁３６は閉弁する。
【００２９】
本実施例の制御ユニット１０においては、上述の通り、トランジスタ１６、１８は、電磁弁３６に電力を供給するための電力供給経路上に設けられており、電源１４側から接地電位側に向かって、トランジスタ１６、トランジスタ１８、電磁弁３６の順で配置されている。また、本実施例では、トランジスタ１８から出力された信号がタイマ回路３０に供給されることはない。従って、Ｂ時点で電磁弁３６が閉弁した後、タイマ回路３０の出力信号がロー信号からハイ信号に切り換わった後も、タイマ回路３０にはハイ信号が継続して供給される。その結果、タイマ回路３０はハイ信号を継続して出力する。従って、所定時間（タイマ時間）の経過によって電磁弁３６が閉弁された後に、トランジスタ１６のオン状態（電磁弁３６への電力供給を許容する状態）が継続される場合であっても、トランジスタ１８がオフ状態（電磁弁３６への電力供給を禁止する状態）からオン状態（電磁弁３６への電力供給を許容する状態）に戻ることがない。従って、仮にユーザがその後に開弁操作を行って電磁弁３６が開弁したとしても、電磁弁３６には電力が供給されないので、電磁弁３６が開弁状態で保持されることはない。
【００３０】
また、本実施例の制御ユニット１０は、タイマ回路３０の出力がロー信号からハイ信号に切り換わって電磁弁３６を閉弁した場合に、それによってＯＲ回路２８の出力が変化してしまうことがない。従って、タイマ回路３０にヒステリシス回路（図９参照）を設けずに済む。ヒステリシス回路を省略することにより、制御ユニット１０の部品点数を少なくすることができる。
【００３１】
以上、本実施例の燃焼装置について説明した。上記の実施例の構成と本発明の構成との対応関係を記載しておく。炎検知回路３２、３４が「検知回路」の一例である。トランジスタ１６、２０が「第１トランジスタ」の一例である。トランジスタ１８、２２が「前記電磁弁と前記第１トランジスタの間に設けられており、・・・第２トランジスタ」の一例である。図２のタイマ時間が「所定時間」の一例である。
【００３２】
（第２実施例）
図３、図４を参照して、第２実施例について第１実施例と異なる点を中心に説明する。図３は本実施例に係る燃焼装置の制御ユニット１１０を示す回路図である。図３に示す制御ユニット１１０は、上記の第１実施例の制御ユニット１０と同様に、マイコン１１２、電源１１４、トランジスタ１１６〜１２２、ＡＮＤ回路１２４、１２６、ＯＲ回路１２８、タイマ回路１３０、炎検出回路１３２、１３４、電磁弁１３６、１３８を備える。図３の制御ユニット１１０の各構成要素１１２〜１３８は、図１の制御ユニット１０の各構成要素１２〜３８と同様である。
【００３３】
本実施例では、マイコン１１２は、電磁弁１３６（１３８）を開く場合にハイ信号を出力し、電磁弁１３６（１３８）を閉じる場合にロー信号を出力する。本実施例では、トランジスタ１１６、１１８、電磁弁１３６は、電源１１４側から接地電位側に向かって、電磁弁１３６、トランジスタ１１８、トランジスタ１１６の順で配置されている。同様に、トランジスタ１２０、１２２、電磁弁１３８は、電源１１４側から接地電位側に向かって、電磁弁１３８、トランジスタ１２２、トランジスタ１２０の順で配置されている。トランジスタ１１６は、オン状態の場合、即ち、マイコン１１２から供給されるハイ信号に従ってロー信号を出力する場合、電磁弁１３６への電力供給を許容する。一方、トランジスタ１１６は、オフ状態の場合、即ち、マイコン１１２から供給されるロー信号に従ってハイ信号を出力する場合、電磁弁１３６への電力供給を禁止する。トランジスタ１２０も同様に動作する。また、本実施例では、トランジスタ１１６とＡＮＤ回路１２４の間にＮＯＴ回路１２５が備えられている。従って、トランジスタ１１６が出力した信号は、ＮＯＴ回路１２５によって反転されてＡＮＤ回路２４に供給される。同様に、トランジスタ１２０とＡＮＤ回路１２６の間にもＮＯＴ回路１２７が備えられている。トランジスタ１２０が出力した信号は、ＮＯＴ回路１２７によって反転されてＡＮＤ回路１２６に供給される。
【００３４】
タイマ回路１３０は、図３の表に示すように、ＯＲ回路１２８から出力される信号がハイ信号となる場合（トランジスタ１１６がロー信号を出力し、かつ、炎検出回路１３２がハイ信号を出力する場合）に、ハイ信号を出力し、計時を開始する。その後、ＯＲ回路１２８からハイ信号が出力される状態が維持されたまま所定時間が経過する場合、タイマ回路１３０は、出力する信号をハイ信号からロー信号に切り換える。一方、タイマ回路１３０は、ＯＲ回路１２８から出力される信号がロー信号である場合は、ハイ信号を出力する。この場合、タイマ回路１３０は計時を行わず、ハイ信号を継続して出力する。
【００３５】
トランジスタ１１８は、タイマ回路１３０から出力される信号に従って、オン状態とオフ状態の間で切り換わる。具体的には、タイマ回路１３０からハイ信号が供給されると、トランジスタ１１８はオン状態となる（ロー信号を出力する）。その場合、トランジスタ１１８は、電磁弁１３６への電力供給を許容する。一方、タイマ回路１３０からロー信号が供給されると、トランジスタ１１８はオフ状態となる（ハイ信号を出力する）。その場合、トランジスタ１１８は、電磁弁１３６への電力供給を禁止する。その場合、仮に、トランジスタ１１６が電磁弁１３６への電力供給を許容する状態であっても、電磁弁１３６には電力が供給されず、電磁弁１３６は閉弁状態となる。トランジスタ１１６、１１８がともに電磁弁１３６への電力供給を許容する状態である場合、電源１１４から電磁弁１３６に電力が供給され、電磁弁１３６は開弁状態を保持することができる。トランジスタ１２２も、トランジスタ１１８と同様に動作する。
【００３６】
図４は、図３の制御ユニット１１０中の（ａ）〜（ｅ）の各部における信号の状態を示すタイムチャートである。図４は、炎検出回路１３２が非点火を示すハイ信号を出力しているにも関わらず、マイコン１１２が電磁弁１３６の開指示に対応するハイ信号の出力を継続する場合において、図３の制御ユニット１１０中の（ａ）〜（ｅ）の各部における信号の状態を示すタイムチャートである。
【００３７】
図４のＡ時点において、ユーザが電磁弁１３６を開くための開弁操作を行うと、マイコン１１２は、電磁弁１３６を開くためのハイ信号を出力する（図４の（ａ）参照）。マイコン１１２から出力されたハイ信号に従って、トランジスタ１１６はオン状態となり、電磁弁１３６への電力供給を許容する状態となる。その結果、トランジスタ１１６は、ロー信号を出力する（図４の（ｂ）参照）。図４の例では、炎検出回路１３２が非点火を検出するため、炎検出回路１３２はハイ信号を出力する（図４の（ｃ）参照）。トランジスタ１１６が出力したロー信号は、ＮＯＴ回路１２５で反転されてハイ信号となる。ＮＯＴ回路１２５が出力したハイ信号と、炎検出回路１３２が出力したハイ信号は、ＡＮＤ回路１２４に供給される。この場合、ＡＮＤ回路１２４はハイ信号を出力する。ＡＮＤ回路１２４から出力されたハイ信号は、ＯＲ回路１２８に供給される。この場合、ＡＮＤ回路１２６から供給される信号の種類に関わらず、ＯＲ回路１２８はハイ信号を出力する。ＯＲ回路１２８から出力されたハイ信号は、タイマ回路１３０に供給される。タイマ回路１３０は、ＯＲ回路１２８から供給される信号がハイ信号となると、まずハイ信号を出力して（図３の表、図４の（ｄ）参照）、計時を開始する。タイマ回路１３０から供給されるハイ信号に従って、トランジスタ１１８はオン状態となり、電磁弁１３６への電力供給を許容する状態となる。トランジスタ１１８は、ロー信号を出力する（図４の（ｅ）参照）。この結果、電磁弁１３６に電力が供給され、電磁弁１３６は開弁した状態を保持する。
【００３８】
ＯＲ回路１２８がハイ信号を出力する状態が維持されたままＡ時点からＢ時点までの所定時間（図４の「タイマ時間」）が経過すると、タイマ回路１３０は出力信号をハイ信号からロー信号に切り換える（図４の（ｄ）参照）。Ｂ時点において、タイマ回路１３０から供給されるロー信号に従って、トランジスタ１１８はオフ状態となり、電磁弁１３６への電力供給を禁止する。このとき、トランジスタ１１８はハイ信号を出力する（図４の（ｅ）参照）。この結果、電磁弁１３６に電力が供給されなくなり、電磁弁１３６は閉弁する。
【００３９】
本実施例では、上述の通り、トランジスタ１１６、１１８は、電磁弁１３６に電力を供給するための電力供給経路上に設けられており、電源１１４側から接地電位側に向かって、電磁弁１３６、トランジスタ１１８、トランジスタ１１６の順で配置されている。また、本実施例でも、トランジスタ１１８から出力された信号がタイマ回路１３０に供給されることはない。従って、Ｂ時点で電磁弁１３６が閉弁した後、タイマ回路１３０の出力信号がハイ信号からロー信号に切り換わった後も、タイマ回路１３０にはハイ信号が継続して供給される。その結果、タイマ回路１３０はロー信号を継続して出力する。そのため、上記のタイマ時間の経過によって電磁弁１３６が閉弁された後に、トランジスタ１１６のオン状態（電磁弁１３６への電力供給を許容する状態）が継続される場合であっても、トランジスタ１１８がオフ状態からオン状態に戻ることがない。従って、仮にユーザがその後に開弁操作を行って電磁弁１３６が開弁したとしても、電磁弁１３６には電力が供給されないので、電磁弁１３６が開弁状態で保持されることはない。
【００４０】
また、本実施例の制御ユニット１１０も、タイマ回路１３０の出力がハイ信号からロー信号に切り換わって電磁弁１３６を閉弁した場合に、それによってＯＲ回路１２８の出力が変化してしまうことがない。従って、タイマ回路１３０にヒステリシス回路（図９参照）を設けずに済む。ヒステリシス回路を省略することにより、制御ユニット１１０の部品点数を少なくすることができる。
【００４１】
以上、本実施例の燃焼装置について説明した。上記の実施例の構成と本発明の構成との対応関係を記載しておく。炎検知回路１３２、１３４が「検知回路」の一例である。トランジスタ１１６、１２０が「第１トランジスタ」の一例である。トランジスタ１１８、１２２が「前記電磁弁と前記第１トランジスタの間に設けられており、・・・第２トランジスタ」の一例である。図４のタイマ時間が「所定時間」の一例である。
【００４２】
（第１参考例）
図５、図６を参照して、第１参考例について第１実施例と異なる点を中心に説明する。図５は本参考例に係る燃焼装置の制御ユニット２１０を示す回路図である。図５に示す制御ユニット２１０は、上記の第１実施例の制御ユニット１０と同様に、マイコン２１２、電源２１４、トランジスタ２１６〜２２２、ＡＮＤ回路２２４、２２６、ＯＲ回路２２８、タイマ回路２３０、炎検出回路２３２、２３４、電磁弁２３６、２３８を備える。図５の制御ユニット２１０の各構成要素２１２〜２３８は、図１の制御ユニット１０の各構成要素１２〜３８と同様である。
【００４３】
本参考例では、マイコン２１２は、電磁弁２３６（２３８）を開く場合にハイ信号を出力し、電磁弁２３６（２３８）を閉じる場合にロー信号を出力する。本参考例では、トランジスタ２１６、２１８、電磁弁２３６は、電源２１４側から接地電位側に向かって、トランジスタ２１８、電磁弁２３６、トランジスタ２１６の順で配置されている。即ち、電磁弁２３６は、電源側のトランジスタ２１８と接地電位側のトランジスタ２１６の間に配置されている。同様に、電磁弁２３８は、電源側のトランジスタ２２２と接地電位側のトランジスタ２２０の間に配置されている。トランジスタ２１６は、オン状態の場合、即ち、マイコン２１２から供給されるハイ信号に従ってロー信号を出力する場合、電磁弁２３６への電力供給を許容する。一方、トランジスタ２１６は、オフ状態の場合、即ち、マイコン２１２から供給されるロー信号に従ってハイ信号を出力する場合、電磁弁２３６への電力供給を禁止する。トランジスタ２２０も同様に動作する。また、本参考例では、トランジスタ２１６とＡＮＤ回路２２４の間にＮＯＴ回路２２５が備えられている。従って、トランジスタ２１６が出力した信号は、ＮＯＴ回路２２５によって反転されてＡＮＤ回路２２４に供給される。同様に、トランジスタ２２０とＡＮＤ回路２２６の間にもＮＯＴ回路２２７が備えられている。トランジスタ２２０が出力した信号は、ＮＯＴ回路２２７によって反転されてＡＮＤ回路２２６に供給される。
【００４４】
タイマ回路２３０は、図５の表に示すように、ＯＲ回路２２８から出力される信号がハイ信号となる場合（トランジスタ２１６がロー信号を出力し、かつ、炎検出回路２３２がハイ信号を出力する場合）に、ロー信号を出力し、計時を開始する。その後、ＯＲ回路２２８からハイ信号が出力される状態が維持されたまま所定時間が経過する場合、タイマ回路２３０は、出力する信号をロー信号からハイ信号に切り換える。一方、タイマ回路２３０は、ＯＲ回路２２８から出力される信号がロー信号である場合は、ロー信号を出力する。この場合、タイマ回路２３０は計時を行わず、ロー信号を継続して出力する。
【００４５】
トランジスタ２１８は、タイマ回路２３０から出力される信号に従って、オン状態とオフ状態の間で切り換わる。具体的には、タイマ回路２３０からハイ信号が供給されると、トランジスタ２１８はオフ状態となる（ロー信号を出力する）。その場合、トランジスタ２１８は、電磁弁２３６への電力供給を禁止する。その場合、仮に、トランジスタ２１６が電磁弁２３６への電力供給を許容する状態であっても、電磁弁２３６には電力が供給されず、電磁弁２３６は閉弁状態となる。一方、タイマ回路２３０からロー信号が供給されると、トランジスタ２１８はオン状態となる（ハイ信号を出力する）。その場合、トランジスタ２１８は、電磁弁２３６への電力供給を許容する。トランジスタ２１６、２１８がともに電磁弁２３６への電力供給を許容する状態である場合、電源２１４から電磁弁２３６に電力が供給され、電磁弁２３６は開弁状態を保持することができる。トランジスタ２２２も、トランジスタ２１８と同様に動作する。
【００４６】
図６は、図５の制御ユニット２１０中の（ａ）〜（ｅ）の各部における信号の状態を示すタイムチャートである。図６は、炎検出回路２３２が非点火を示すハイ信号を出力しているにも関わらず、マイコン２１２が電磁弁２３６の開指示に対応するハイ信号の出力を継続する場合において、図５の制御ユニット２１０中の（ａ）〜（ｅ）の各部における信号の状態を示すタイムチャートである。
【００４７】
図６のＡ時点において、ユーザが電磁弁２３６を開くための開弁操作を行うと、マイコン２１２は、電磁弁２３６を開くためのハイ信号を出力する（図６の（ａ）参照）。マイコン２１２から出力されたハイ信号に従って、トランジスタ２１６はオン状態となり、電磁弁２３６への電力供給を許容する状態となる。その結果、トランジスタ２１６は、ロー信号を出力する（図６の（ｂ）参照）。図６の例では、炎検出回路２３２が非点火を検出するため、炎検出回路２３２はハイ信号を出力する（図６の（ｃ）参照）。トランジスタ２１６が出力したロー信号は、ＮＯＴ回路２２５で反転されてハイ信号となる。ＮＯＴ回路２２５が出力したハイ信号と、炎検出回路２３２が出力したハイ信号は、ＡＮＤ回路２２４に供給される。この場合、ＡＮＤ回路２２４はハイ信号を出力する。ＡＮＤ回路２２４から出力されたハイ信号は、ＯＲ回路２２８に供給される。この場合、ＡＮＤ回路２２６から供給される信号の種類に関わらず、ＯＲ回路２２８はハイ信号を出力する。ＯＲ回路２２８から出力されたハイ信号は、タイマ回路２３０に供給される。タイマ回路２３０は、ＯＲ回路２２８から供給される信号がハイ信号となると、まずロー信号を出力して（図５の表、図６の（ｄ）参照）、計時を開始する。タイマ回路２３０から供給されるロー信号に従って、トランジスタ２１８はオン状態となり、電磁弁２３６への電力供給を許容する状態となる。トランジスタ２１８は、ハイ信号を出力する（図６の（ｅ）参照）。この結果、電磁弁２３６を挟む２個のトランジスタ２１６、２１８の間に電位差が生じ、電磁弁２３６に電力が供給される。従って、電磁弁２３６は開弁した状態を保持する。
【００４８】
ＯＲ回路２２８がハイ信号を出力する状態が維持されたままＡ時点からＢ時点までの所定時間（図６の「タイマ時間」）が経過すると、タイマ回路２３０は出力信号をロー信号からハイ信号に切り換える（図６の（ｄ）参照）。Ｂ時点において、タイマ回路２３０から供給されるハイ信号に従って、トランジスタ２１８はオフ状態となり、電磁弁２３６への電力供給を禁止する。このとき、トランジスタ２１８はロー信号を出力する（図６の（ｅ）参照）。この結果、電磁弁２３６を挟む２個のトランジスタ２１６、２１８の間に電位差が生じなくなり、電磁弁２３６に電力が供給されなくなる。従って、電磁弁２３６は閉弁する。
【００４９】
本参考例では、上述の通り、トランジスタ２１６、２１８は、電磁弁２３６に電力を供給するための電力供給経路上に設けられており、電磁弁２３６は、電源側のトランジスタ２１８と接地電位側のトランジスタ２１６の間に配置されている。また、本参考例でも、トランジスタ２１８から出力された信号がタイマ回路２３０に供給されることはない。従って、Ｂ時点で電磁弁２３６が閉弁した後、タイマ回路２３０の出力信号がロー信号からハイ信号に切り換わった後も、タイマ回路２３０にはハイ信号が継続して供給される。その結果、タイマ回路２３０はハイ信号を継続して出力する。そのため、タイマ時間の経過によって電磁弁２３６が閉弁された後に、トランジスタ２１６のオン状態（電磁弁２３６への電力供給を許容する状態）が継続される場合であっても、トランジスタ２１８がオフ状態（電磁弁２３６への電力供給を禁止する状態）からオン状態（電磁弁２３６への電力供給を許容する状態）に戻ることがない。従って、仮にユーザがその後に開弁操作を行って電磁弁２３６が開弁したとしても、電磁弁２３６には電力が供給されないので、電磁弁２３６が開弁状態で保持されることはない。
【００５０】
また、本参考例の制御ユニット２１０も、タイマ回路２３０の出力がロー信号からハイ信号に切り換わって電磁弁２３６を閉弁した場合に、それによってＯＲ回路２２８の出力が変化してしまうことがない。従って、タイマ回路２３０にヒステリシス回路（図９参照）を設けずに済むため、制御ユニット２１０の部品点数が少なく済む。
【００５１】
以上、本参考例の燃焼装置について説明した。上記の参考例の構成と本発明の構成との対応関係を記載しておく。炎検知回路２３２、２３４が「検知回路」の一例である。トランジスタ２１６、２２０が「第１トランジスタ」の一例である。トランジスタ２１８、２２２が「前記電磁弁に電力を供給する経路上に、前記電磁弁を挟んで前記第１トランジスタの反対側に設けられており、・・・第２トランジスタ」の一例である。図６のタイマ時間が「所定時間」の一例である。
【００５２】
（第２参考例）
図７、図８を参照して、第２参考例について第１実施例と異なる点を中心に説明する。図７は本参考例に係る燃焼装置の制御ユニット３１０を示す回路図である。図７に示す制御ユニット３１０は、上記の第１実施例の制御ユニット１０と同様に、マイコン３１２、電源３１４、トランジスタ３１６〜３２２、ＡＮＤ回路３２４、３２６、ＯＲ回路３２８、タイマ回路３３０、炎検出回路３３２、３３４、電磁弁３３６、３３８を備える。図７の制御ユニット３１０の各構成要素３１２〜３３８は、図１の制御ユニット１０の各構成要素１２〜３８と同様である。
【００５３】
本参考例では、マイコン３１２は、電磁弁３３６（３３８）を開く場合にロー信号を出力し、電磁弁３３６（３３８）を閉じる場合にハイ信号を出力する。本参考例では、トランジスタ３１６、３１８、電磁弁３３６は、電源３１４側から接地電位側に向かって、トランジスタ３１６、電磁弁３３６、トランジスタ３１８の順で配置されている。即ち、電磁弁３３６は、電源側のトランジスタ３１６と接地電位側のトランジスタ３１８の間に配置されている。同様に、電磁弁３３８は、電源側のトランジスタ３２０と接地電位側のトランジスタ３２２の間に配置されている。トランジスタ３１６は、オン状態の場合、即ち、マイコン３１２から供給されるロー信号に従ってハイ信号を出力する場合、電磁弁３３６への電力供給を許容する。一方、トランジスタ３１６は、オフ状態の場合、即ち、マイコン３１２から供給されるハイ信号に従ってロー信号を出力する場合、電磁弁３３６への電力供給を禁止する。トランジスタ３２０も同様に動作する。トランジスタ３１６が出力した信号は、ＡＮＤ回路３２４に供給される。また、トランジスタ３２０が出力した信号は、ＡＮＤ回路３２６に供給される。
【００５４】
タイマ回路３３０は、図７の表に示すように、ＯＲ回路３２８から出力される信号がハイ信号となる場合（例えば、マイコン３１２が開指示を行い、かつ、炎検出回路３３２が非点火を検知する場合）に、ハイ信号を出力し、計時を開始する。その後、ＯＲ回路３２８からハイ信号が出力される状態が維持されたまま所定時間が経過する場合、タイマ回路３３０は、出力する信号をハイ信号からロー信号に切り換える。一方、タイマ回路３３０は、ＯＲ回路３２８から出力される信号がロー信号である場合は、ハイ信号を出力する。この場合、タイマ回路３３０は計時を行わず、ハイ信号を継続して出力する。
【００５５】
トランジスタ３１８は、タイマ回路３３０から出力される信号に従って、オン状態とオフ状態の間で切り換わる。具体的には、タイマ回路３３０からロー信号が供給されると、トランジスタ３１８はオフ状態となる（ハイ信号を出力する）。その場合、トランジスタ３１８は、電磁弁３３６への電力供給を禁止する。その場合、仮に、トランジスタ３１６が電磁弁３３６への電力供給を許容する状態であっても、電磁弁３３６には電力が供給されず、電磁弁３３６は閉弁状態となる。一方、タイマ回路３３０からハイ信号が供給されると、トランジスタ３１８はオン状態となる（ロー信号を出力する）。その場合、トランジスタ３１８は、電磁弁３３６への電力供給を許容する。トランジスタ３１６、３１８がともに電磁弁３３６への電力供給を許容する状態である場合、電源３１４から電磁弁３３６に電力が供給され、電磁弁３３６は開弁状態を保持することができる。トランジスタ３２２も、トランジスタ３１８と同様に動作する。
【００５６】
図８は、図７の制御ユニット３１０中の（ａ）〜（ｅ）の各部における信号の状態を示すタイムチャートである。図８は、炎検出回路３３２が非点火を示すハイ信号を出力しているにも関わらず、マイコン３１２が電磁弁３３６の開指示に対応するロー信号の出力を継続する場合において、図７の制御ユニット３１０中の（ａ）〜（ｅ）の各部における信号の状態を示すタイムチャートである。
【００５７】
図８のＡ時点において、ユーザが電磁弁３３６を開くための開弁操作を行うと、マイコン３１２は、電磁弁３３６を開くためのロー信号を出力する（図８の（ａ）参照）。マイコン３１２から出力されたロー信号に従って、トランジスタ３１６はオン状態となり、電磁弁３３６への電力供給を許容する状態となる。その結果、トランジスタ３１６は、ハイ信号を出力する（図８の（ｂ）参照）。図８の例では、炎検出回路３３２が非点火を検出するため、炎検出回路３３２はハイ信号を出力する（図８の（ｃ）参照）。トランジスタ３１６が出力したハイ信号と、炎検出回路３３２が出力したハイ信号は、ＡＮＤ回路３２４に供給される。この場合、ＡＮＤ回路３２４はハイ信号を出力する。ＡＮＤ回路３２４から出力されたハイ信号は、ＯＲ回路３２８に供給される。この場合、ＡＮＤ回路３２６から供給される信号の種類に関わらず、ＯＲ回路３２８はハイ信号を出力する。ＯＲ回路３２８から出力されたハイ信号は、タイマ回路３３０に供給される。タイマ回路３３０は、ＯＲ回路３２８から供給される信号がハイ信号となると、まずハイ信号を出力して（図８の（ｄ）参照）、計時を開始する。タイマ回路３３０から供給されるハイ信号に従って、トランジスタ３１８はオン状態となり、電磁弁３３６への電力供給を許容する状態となる。トランジスタ３１８は、ロー信号を出力する（図８の（ｅ）参照）。この結果、電磁弁３３６を挟む２個のトランジスタ３１６、３１８の間に電位差が生じ、電磁弁３３６に電力が供給される。従って、電磁弁３３６は開弁した状態を保持する。
【００５８】
ＯＲ回路３２８がハイ信号を出力する状態が維持されたままＡ時点からＢ時点までの所定時間（図８の「タイマ時間」）が経過すると、タイマ回路３３０は出力信号をハイ信号からロー信号に切り換える（図８の（ｄ）参照）。Ｂ時点において、タイマ回路３３０から供給されるロー信号に従って、トランジスタ３１８はオフ状態となり、電磁弁３３６への電力供給を禁止する。このとき、トランジスタ３１８はハイ信号を出力する（図８の（ｅ）参照）。この結果、電磁弁３３６を挟む２個のトランジスタ３１６、３１８の間に電位差が生じなくなり、電磁弁３３６に電力が供給されなくなる。従って、電磁弁３３６は閉弁する。
【００５９】
本参考例では、上述の通り、トランジスタ３１６、３１８は、電磁弁３３６に電力を供給するための電力供給経路上に設けられており、電磁弁３３６は、電源側のトランジスタ３１６と接地電位側のトランジスタ３１８の間に配置されている。また、本参考例でも、トランジスタ３１８から出力された信号がタイマ回路３３０に供給されることはない。従って、Ｂ時点で電磁弁３３６が閉弁した後、タイマ回路３３０の出力信号がハイ信号からロー信号に切り換わった後も、タイマ回路３３０にはハイ信号が継続して供給される。その結果、タイマ回路３３０はロー信号を継続して出力する。そのため、タイマ時間の経過によって電磁弁３３６が閉弁された後に、トランジスタ３１６のオン状態（電磁弁３３６への電力供給を許容する状態）が継続される場合であっても、トランジスタ３１８がオフ状態（電磁弁３３６への電力供給を禁止する状態）からオン状態（電磁弁３３６への電力供給を許容する状態）に戻ることがない。従って、仮にユーザがその後に開弁操作を行って電磁弁３３６が開弁したとしても、電磁弁３３６には電力が供給されないので、電磁弁３３６が開弁状態で保持されることはない。
【００６０】
また、本参考例の制御ユニット３１０も、タイマ回路３３０の出力がハイ信号からロー信号に切り換わって電磁弁３３６を閉弁した場合に、それによってＯＲ回路３２８の出力が変化してしまうことがない。従って、タイマ回路３３０にヒステリシス回路（図９参照）を設けずに済むため、制御ユニット３１０の部品点数が少なく済む。
【００６１】
以上、本参考例の燃焼装置について説明した。上記の参考例の構成と本発明の構成との対応関係を記載しておく。炎検知回路３３２、３３４が「検知回路」の一例である。トランジスタ３１６、３２０が「第１トランジスタ」の一例である。トランジスタ３１８、３２２が「前記電磁弁に電力を供給する経路上に、前記電磁弁を挟んで前記第１トランジスタの反対側に設けられており、・・・第２トランジスタ」の一例である。図８のタイマ時間が「所定時間」の一例である。
【００６２】
（変形例）
上記の各実施例及び参考例の変形例を以下に列挙する。
（１）上記の第１、第２実施例、及び、第１、第２参考例では、図２、図４、図６、図８に示すように、マイコン１２、１１２、２１２、３１２が故障し、開指示を継続して出力する場合を例として説明した。しかしながら、マイコン１２、１１２、２１２、３１２が正常であるが、トランジスタ１６、１１６、２１６、３１６が、マイコン１２、１１２、２１２、３１２の開指示に対応する状態で故障してしまう場合も、上述の処理が実行される。
【００６３】
（２）上記の第１、第２実施例、及び、第１、第２参考例では、バーナを２個備える燃焼装置に用いられる制御ユニットを例として説明した。しかしながら、燃焼装置がバーナを１個のみ備えるものであってもよい。その場合、例えば、図１の制御ユニット１０の各構成要素のうち、トランジスタ２０、２２、ＡＮＤ回路２６、ＯＲ回路２８を省略する。また、同様に、燃焼装置がバーナを３個以上備えるものであってもよい。
【００６４】
（３）炎検知回路３２、１３２、２３２、３３２は、上記の説明とは逆に、点火を検知する場合にハイ信号、非点火を検知する場合にロー信号を出力するものであってもよい。なお、その場合、制御ユニット１０の他の構成要素は、炎検知回路３２等から出力される信号に適合するように組み合わせる必要がある。
【００６５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００６６】
１０：制御ユニット、１２：マイコン、１４：電源、１６、１８、２０、２２：トランジスタ、２４、２６：ＡＮＤ回路、２８：ＯＲ回路、３０：タイマ回路、３２、３４：炎検出回路
【図１】
0005492698.tif 000002
【図２】
0005492698.tif 000003
【図３】
0005492698.tif 000004
【図４】
0005492698.tif 000005
【図５】
0005492698.tif 000006
【図６】
0005492698.tif 000007
【図７】
0005492698.tif 000008
【図８】
0005492698.tif 000009
【図９】
0005492698.tif 000010
【図１０】
0005492698.tif 000011